(57)【要約】【解決手段】スライドスタッキング作業の際には、上に位置する箱型に組み立てられた折り畳みコンテナーＣａの底部１に突設された嵌合ブロック部６が、下に位置する箱型に組み立てられた折り畳みコンテナーＣｂの一方の短側壁３の上端フランジ３ｂに載置されるように構成されており、且つ、上に位置する箱型に組み立てられた折り畳みコンテナーの底部と下に位置する箱型に組み立てられた折り畳みコンテナーの長側壁２とには．スライドスタッキング作業中に、下に位置する箱型に組み立てられた折り畳みコンテナーの長側壁の外側への湾曲変形を阻止する湾曲変形阻止部材Ｇ１、Ｇ２、Ｈ１〜Ｈ３が配設されている。【効果】スライドスタッキング作業中に、上に位置する折り畳みコンテナーが、下に位置する折り畳みコンテナー内に落ち込み、スライドスタッキングが不可能になるようなことを、確実に、防止することができる。【選択図】図８
2005053501.tif 000002
【特許請求の範囲】
【請求項１】
裏面に嵌合ブロック部が突設されている底部と、底部にヒンジ連結された相対する長側壁と、同じく底部にヒンジ連結された相対する短側壁とを有するとともに、長側壁及び短側壁を、底部に重なるように倒すことにより折り畳むことが可能な折り畳みコンテナーにおいて、スライドスタッキング作業の際には、上に位置する箱型に組み立てられた折り畳みコンテナーの底部に突設された嵌合ブロック部が、下に位置する箱型に組み立てられた折り畳みコンテナーの一方の短側壁の上端フランジに載置されるように構成されており、且つ、上に位置する箱型に組み立てられた折り畳みコンテナーの底部と下に位置する箱型に組み立てられた折り畳みコンテナーの長側壁とには．スライドスタッキング作業中に、下に位置する箱型に組み立てられた折り畳みコンテナーの長側壁の外側への湾曲変形を阻止する湾曲変形阻止部材が配設されていることを特徴とする折り畳みコンテナー。
【発明の詳細な説明】
【０００１】
【発明の属する技術分野】
本発明は、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、底部の上に重なるように、長側壁及び短側壁を倒すことにより、折り畳むことが可能な折り畳みコンテナーに関するものである。
【０００２】
【従来の技術】
従来、箱型に組み立てられた折り畳みコンテナーの上に、同じく箱型に組み立てられた折り畳みコンテナーを積み重ねる際に、上に位置する折り畳みコンテナーの底部の相対する短辺部のうちの一方の短辺部付近を、下に位置する折り畳みコンテナーの相対する長側壁の一方の端部付近に載置し、その後、上に位置する折り畳みコンテナーを、下に位置する折り畳みコンテナーの相対する長側壁の上面をスライドさせながら移動させることにより、上に位置する折り畳みコンテナーを、下に位置する折り畳みコンテナーに積み重ねるという、所謂、スライドスタッキングが行われている。
【０００３】
上述したようなスライドスタッキングを行うために、長側壁の上面に、レール突部を突設するとともに、底部の裏面には、底部の長辺部に沿って、レール突部が嵌め込まれるレール溝を形成した折り畳みコンテナーが、特許文献１に開示されている。
【０００４】
【特許文献１】
特開２００１−３３５０２９号公報
【０００５】
【発明が解決しようとする課題】
上述した従来のスライドスタッキング可能な折り畳みコンテナーは、箱型に組み立てられた折り畳みコンテナーの短側壁と長側壁とにより形成される角部に、平面形状が略Ｌ字状の保持突部が形成されているものであり、このような保持突部が形成されていない形式の折り畳みコンテナーには、上述した従来のスライドスタッキング機構を適用することができないという問題があった。
【０００６】
また、上述した保持突部が形成されていない形式の折り畳みコンテナーにおいては、スライドスタッキング作業中に、下に位置する長側壁が、上に位置するスライド中の折り畳みコンテナーの重量により、外側に湾曲しないような構成を具備したものは存在しておらず、従って、スライドスタッキング作業中に、上に位置する折り畳みコンテナーが、下に位置する折り畳みコンテナー内に落ち込み、スライドスタッキングが不可能になるという問題が発生する。
【０００７】
本発明の目的は、上述した従来の折り畳みコンテナーが有する課題を解決することにある。
【０００８】
【課題を解決するための手段】
本発明は、上述した目的を達成するために、裏面に嵌合ブロック部が突設されている底部と、底部にヒンジ連結された相対する長側壁と、同じく底部にヒンジ連結された相対する短側壁とを有するとともに、長側壁及び短側壁を、底部に重なるように倒すことにより折り畳むことが可能な折り畳みコンテナーにおいて、スライドスタッキング作業の際には、上に位置する箱型に組み立てられた折り畳みコンテナーの底部に突設された嵌合ブロック部が、下に位置する箱型に組み立てられた折り畳みコンテナーの一方の短側壁の上端フランジに載置されるように構成されており、且つ、上に位置する箱型に組み立てられた折り畳みコンテナーの底部と下に位置する箱型に組み立てられた折り畳みコンテナーの長側壁とに．スライドスタッキング作業中に、下に位置する箱型に組み立てられた折り畳みコンテナーの長側壁の外側への湾曲変形を阻止する湾曲変形阻止部材を配設したものである。
【０００９】
【実施例】
以下に、本発明の実施例について説明するが、本発明の趣旨を越えない限り何ら、本実施例に限定されるものでない。
【００１０】
本発明の折り畳みコンテナーは、底部１と、底部１の長辺側にヒンジ連結された相対する長側壁２と、底部１の短辺側にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１１】
次に、主として、図４、図５及び図７を用いて、底部１について説明する。
【００１２】
底部１には、底部１の相対する長辺に沿って、長辺土手部４が形成されており、長辺土手部４は、天部４ａと、天部４ａの両端から下方に延在する内壁部４ｂと外壁部４ｃとにより、長手方向に垂直な断面が、略逆Ｕ字状に形成されている。また、底部１には、底部１の相対する短辺に沿って、上述した長辺土手部４より、高さの低い短辺土手部５が形成されており、短辺土手部５も、天部５ａと、天部５ａの両端から下方に延在する内壁部５ｂと外壁部５ｃとにより構成されている。長辺土手部４は、その両端部において、短辺土手部５方向に延在している。以下、この長辺土手部４の短辺土手部５方向に延在している部分を、短辺側長辺土手部と称し、符号４’を付す。この短辺側長辺土手部４’も、長辺土手部４を構成する天部４ａと内壁部４ｂと外壁部４ｃとを、短辺土手部５方向に延長することにより形成されており、短辺側長辺土手部４’の両端部には、端壁４ｄが形成されている。
【００１３】
上述した長辺土手部４と短辺土手部５とにより囲まれた底部１の裏面には、底部１の裏面から下方に突出するように、裏面形状が長方形状の嵌合ブロック部６が垂設されている。本実施例においては、嵌合ブロック部６は、底部１の裏面から垂下された周壁６ａを有しており、周壁６ａの内側には、底部１の長辺土手部４に平行な長辺側リブ６ｂと、底部１の短辺土手部５に平行な短辺側リブ６ｃとが垂設されている。
【００１４】
上述した短辺側長辺土手部４’の外壁部５ｃ、或いは、短辺側長辺土手部４’と長辺土手部４とにより形成される角部に位置する外壁部５ｃには、下方が開放された、スライドスタッキング用欠き凹部Ｈ１が形成されている。なお、７は、長辺土手部４の天部４ａと内壁部４ｂと外壁部４ｃとにより形成される空間部４ｅを間仕切るように形成された補強仕切りリブであり、８は、短辺土手部５の天部５ａと内壁部５ｂと外壁部５ｃとにより形成される空間部５ｄを間仕切るように形成された、上記補強仕切りリブ５ｅと同様の補強仕切りリブである。
【００１５】
次に、主として、図２、図６及び図７を用いて、長側壁２について説明する。
【００１６】
長側壁２は、横長の略長方形状の板状部２ａを有しており、板状部２ａの両垂直端には、板状部２ａの内面（折り畳みコンテナーを箱型に組み立てた際に、内側に位置する面）２ａ１に垂直な縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１７】
長側壁２の板状部２ａの上部両端角部付近には、それぞれ、略コの字状のスリット２ｃが形成されており、略コの字状のスリット２ｃを形成することにより、スリット２ｃで囲まれた部分が、水平方向に延在する片持ち状の係止弾性片２ｄが形成されている。係止弾性片２ｄの内面側の先端には、突部２ｄ１が突設されており、突部２ｄ１の係合枠２ｂ側は、係合枠２ｂの内面側の面と略平行な垂直面に形成されている。
【００１８】
長側壁２の板状部２ａの上端には、板状部２ａに対して略垂直で、且つ、板状部２ａの内面２ａ１から、外側に延在する帯状の上端フランジ２ｅが形成されており、また、長側壁２の板状部２ａの下端には、板状部２ａに対して略垂直で、且つ、板状部２ａの内面２ａ１から、外側に延在する帯状の下端水平リブ２ｆが形成されている。更に、板状部２ａの外面（折り畳みコンテナーを箱型に組み立てた際に、外側に位置する面）２ａ２には、必要に応じて、適宜、適当数の垂直リブ２ｇや水平リブ２ｈが形成されている。
【００１９】
上端フランジ２ｅは、板状部２ａの外面２ａ２に形成された下端リブ２ｆや垂直リブ２ｇや水平リブ２ｈ等のリブの先端により形成される長側壁２の仮想外壁面Ｆｏより、板状部２ａの所定長さ、引っ込んで形成されている。即ち、上端フランジ２ｅの幅（板状部２ａに対して垂直方向の長さ）Ｗ１は、長側壁２の仮想外壁面Ｆｏを構成する下端リブ２ｆや垂直リブ２ｇや水平リブ２ｈ等のリブの幅より狭く形成されている。また、上端フランジ２ｅに連結されている垂直リブ２ｇの上端部には、上端フランジ２ｅを越えて延在する先端部分が、所定に高さ（垂直リブ２ｇに沿った長さ）Ｔ１に亘たって切り欠かれた切り欠き部２ｇ１が形成されている。このように、上端フランジ２ｅと長側壁２の仮想外壁面Ｆｏとにより形成される角部を切り欠くことにより、長側壁２の上端部には、スライドスタッキング用凸条部材Ｇ１が形成されている。このスライドスタッキング用凸条部材Ｇ１の幅、換言すれば、上端フランジ２ｅの幅Ｗ１は、短辺側長辺土手部４’の外壁部５ｃ、或いは、短辺側長辺土手部４’と長辺土手部４とにより形成される角部に位置する外壁部５ｃに形成されたスライドスタッキング用欠き凹部Ｈ１の幅より、狭く形成されている。
【００２０】
次に、図１及び図２を用いて、短側壁３について説明する。
【００２１】
短側壁３は、横長の略長方形状の板状部３ａを有しており、板状部３ａの上下端には、板状部３ａに略垂直で、且つ、外側に延在する上端フランジ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、折り畳みコンテナーを箱型に組み立てた際に、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）３ａ１には、必要に応じて適宜、適当数の垂直リブ３ｆや水平リブ３ｇが形成されている。
【００２２】
折り畳みコンテナーが箱型に組み立てられた際には、後から立てられる短側壁３の延長枠３ｅに形成されている嵌合突部３ｅ１が、先に立てられた長側壁２の係合枠２ｂに形成された嵌合孔２ｂ１に挿入されているとともに、長側壁２に形成されている係止弾性片２ｄの突部２ｄ１が、短側壁３の延長枠３ｅに当接或いは延長枠３ｅに接近して位置しており、短側壁３が、底部１方向に倒れようとした際には、短側壁３の延長枠３ｅが、長側壁２に形成されている係止弾性片２ｄの突部２ｄ１に当接し、短側壁３の底部１方向への倒れが阻止されるように構成されている。また、箱型に組み立てられた折り畳みコンテナーを折り畳むには、長側壁２に形成されている係止弾性片２ｄを、外側に押して、係止弾性片２ｄの突部２ｄ１を、短側壁３の延長枠３ｅから外すとともに、短側壁３を、底部１方向に倒して、底部１に重ね、次いで、長側壁２を、底部１方向に倒して、底部１に重ねられている短側壁３に重ねることにより、折り畳みコンテナーを折り畳む。
【００２３】
次に、主として、図８及び図９を用いて、箱型に組み立てられた折り畳みコンテナー同士のスライドスタッキングについて説明する。
【００２４】
上に位置する折り畳みコンテナーＣａの底部１の一方の短辺土手部５側に位置する嵌合ブロック部６を、下に位置する折り畳みコンテナーＣｂの一方の短側壁３の上端フランジ３ｂに載置するとともに、上に位置する折り畳みコンテナーＣａの底部１の短辺側長辺土手部４’の外壁部５ｃ、或いは、短辺側長辺土手部４’と長辺土手部４とにより形成される角部に位置する外壁部５ｃに形成されたスライドスタッキング用欠き凹部Ｈ１に、下に位置する折り畳みコンテナーＣｂの長側壁２の上端部に形成されたスライドスタッキング用凸条部材Ｇ１を嵌合する。このように、上に位置する折り畳みコンテナーＣａの底部１のスライド方向の前方に位置するスライドスタッキング用欠き凹部Ｈ１に、下に位置する折り畳みコンテナーＣｂの長側壁２の上端部に形成されたスライドスタッキング用凸条部材Ｇ１が嵌合された状態で、上に位置する折り畳みコンテナーＣａを、下に位置する折り畳みコンテナーＣｂのもう一方の短側壁３方向にスライド移動させ、上に位置する折り畳みコンテナーＣａの嵌合ブロック部６を、下に位置する折り畳みコンテナーＣｂの開口部に嵌合させて、スライドスタッキング作業が終了する。
【００２５】
上述したスライドスタッキング作業中においては、上に位置する折り畳みコンテナーＣａの底部１のスライド方向に前方に位置するスライドスタッキング用欠き凹部Ｈ１に、下に位置する折り畳みコンテナーＣｂの長側壁２の上端部に形成されたスライドスタッキング用凸条部材Ｇ１が嵌合されているので、下に位置する折り畳みコンテナーＣｂの長側壁２の外側への湾曲変形が阻止されることになる。従って、上に位置する折り畳みコンテナーＣａの底部１が、下に位置する折り畳みコンテナーＣｂの長側壁２のスライドスタッキング用凸条部材Ｇ１から外れて、上に位置する折り畳みコンテナーＣａの底部１のスライド方向前方部分が、下に位置する折り畳みコンテナーＣｂ内に落ち込むようなことを防止することができる。よって、スライドスタッキング作業中に、上に位置する折り畳みコンテナーＣａが、下に位置する折り畳みコンテナーＣｂ内に落ち込み、スライドスタッキングが不可能になるようなことを、確実に、防止することができる。
【００２６】
また、下に位置する折り畳みコンテナーＣｂの長側壁２の内側への湾曲変形は、下に位置する折り畳みコンテナーＣｂの長側壁２が、上に位置する折り畳みコンテナーＣａの底部１の裏面に突設された嵌合ブロック部６の周壁６ａに当接することにより阻止されるので、下に位置する折り畳みコンテナーＣｂの長側壁２が、内側へ大きく湾曲変形し、スライドスタッキング作業が阻害されるようなことを防止することができる。
【００２７】
更に、上述した実施例の折り畳みコンテナーは、長側壁２の上端フランジ２ｅの上面には、上述した従来の折り畳みコンテナーのように、レール突部等の突出部材が突設されておらず、平坦に形成されているので、スライドスタッキング用欠き凹部Ｈ１及びスライドスタッキング用凸条部材Ｇ１が形成されていない既存の折り畳みコンテナーと併用することができる。例えば、箱型に組み立てられた上述した実施例の折り畳みコンテナーの上に、スライドスタッキング用欠き凹部Ｈ１及びスライドスタッキング用凸条部材Ｇ１が形成されていない既存の折り畳みコンテナーを段積みしても、上述した実施例の折り畳みコンテナーの長側壁２の上端フランジ２ｅの上面は、レール突部等の突出部材が突設されていない平坦に形成されているので、上に位置する既存の折り畳みコンテナーの底部の長辺土手部の裏面及び短辺土手部の裏面が、共に、下に位置する上述した実施例の折り畳みコンテナーの長側壁２の上端フランジ２ｅの平坦な上面及び短側壁３の上端フランジ３ｂの平坦な上面に当接することになり、従って、安定した状態で、上述した実施例の折り畳みコンテナーの上に、既存の折り畳みコンテナーを段積みすることができる。
【００２８】
箱型に組み立てられた既存の折り畳みコンテナーの上に、上述した実施例の折り畳みコンテナーを段積みする場合においても、上述した実施例の折り畳みコンテナーの底部１の長辺土手部４の裏面及び短辺土手部５の裏面には、突出部等が形成されていないので、下に位置する既存の折り畳みコンテナーの長側壁の上端フランジの平坦な上面及び短側壁の上端フランジの平坦な上面に、上に位置する上述した実施例の折り畳みコンテナーの長辺土手部４の裏面及び短辺土手部５の裏面が、共に当接することになり、従って、安定した状態で、既存の折り畳みコンテナーの上に、上述した実施例の折り畳みコンテナーを段積みすることができる。
【００２９】
次に、図１０〜図１３を用いて、本発明の折り畳みコンテナーの別の実施例について説明する。
【００３０】
この実施例においては、底部１には、上述したスライドスタッキング用欠き凹部Ｈ１は形成されておらず、スライドスタッキング用欠き凹部Ｈ１に代えて、底部１の長辺土手部４を構成する外壁部４ｃを下方に延在することにより、外壁部４ｃの下部に、横長の帯状のスライドスタッキング用スカート部Ｈ２が形成されている。スライドスタッキング用スカート部Ｈ２は、底部１の裏面に形成された嵌合ブロック部６を越えて、下方に延在しないように構成されている。
【００３１】
スライドスタッキング作業中においては、上に位置する折り畳みコンテナーＣａの底部１の嵌合ブロック部６の周壁６ａとスライドスタッキング用スカート部Ｈ２との間に、下に位置する折り畳みコンテナーＣｂの長側壁２の上端部に形成されたスライドスタッキング用凸条部材Ｇ１が嵌合されるように構成されており、下に位置する折り畳みコンテナーＣｂの長側壁２が外側へ湾曲変形しようとした際には、下に位置する折り畳みコンテナーＣｂの長側壁２の上端部に形成されたスライドスタッキング用凸条部材Ｇ１が、底部１の長辺土手部４を構成する外壁部４ｃを下方に延在されたスライドスタッキング用スカート部Ｈ２に当接し、それ以上の湾曲変形が阻止されることになる。従って、上に位置する折り畳みコンテナーＣａの底部１が、下に位置する折り畳みコンテナーＣｂの長側壁２のスライドスタッキング用凸条部材Ｇ１から外れて、上に位置する折り畳みコンテナーＣａの底部１のスライド方向前方部分が、下に位置する折り畳みコンテナーＣｂ内に落ち込むようなことを防止することができる。よって、スライドスタッキング作業中に、上に位置する折り畳みコンテナーＣａが、下に位置する折り畳みコンテナーＣｂ内に落ち込み、スライドスタッキングが不可能になるようなことを、確実に、防止することができる。
【００３２】
この実施例においても、上述した実施例と同様に、下に位置する折り畳みコンテナーＣｂの長側壁２の内側への湾曲変形は、下に位置する折り畳みコンテナーＣｂの長側壁２が、上に位置する折り畳みコンテナーＣａの底部１の裏面に突設された嵌合ブロック部６の周壁６ａに当接することにより阻止されるので、下に位置する折り畳みコンテナーＣｂの長側壁２が、内側へ大きく湾曲変形し、スライドスタッキング作業が阻害されるようなことを防止することができる。
【００３３】
次に、図１４〜図１７を用いて、本発明の折り畳みコンテナーの更に別の実施例について説明する。
【００３４】
この実施例においては、上述した実施例のような、上端フランジ２ｅと長側壁２の仮想外壁面Ｆｏとにより形成される角部を切り欠くことにより形成されたスライドスタッキング用凸条部材Ｇ１は設けられておらず、上端フランジ２ｅの幅は、長側壁２の仮想外壁面Ｆｏを構成する下端リブ２ｆ等の幅より狭く形成されておらず、下端リブ２ｆ等の幅と略同じ幅に形成されている。そして、長側壁２の上端フランジ２ｅの上面２ｅ１には、上端フランジ２ｅの長さ方向に沿って、スライドスタッキング用凸条レールＧ２が、上端フランジ２ｅの略全長に亘たって突設されている。
【００３５】
一方、底部１の短辺側長辺土手部４’の外壁部４ｃの裏面、及び、長辺土手部４の天部４ａと内壁部４ｂと外壁部４ｃとの空間部４ｅを間仕切るように形成された補強仕切りリブ７の裏面には、上述したスライドスタッキング用凸条レールＧ２が嵌合可能なスライドスタッキング用欠き凹部Ｈ３が形成されている。
【００３６】
スライドスタッキング作業中においては、上に位置する折り畳みコンテナーＣａの底部１の裏面に形成されたスライドスタッキング用欠き凹部Ｈ３に、下に位置する折り畳みコンテナーＣｂの長側壁２の上端フランジ２ｅに突設されたスライドスタッキング用凸条レールＧ２が嵌合されるように構成されており、下に位置する折り畳みコンテナーＣｂの長側壁２の外側への湾曲変形を阻止することができる。従って、上に位置する折り畳みコンテナーＣａの底部１のスライド方向前方部分が、下に位置する折り畳みコンテナーＣｂ内に落ち込むようなことを防止することができ、スライドスタッキング作業中に、上に位置する折り畳みコンテナーＣａが、下に位置する折り畳みコンテナーＣｂ内に落ち込み、スライドスタッキングが不可能になるようなことを、確実に、防止することができる。
【００３７】
また、上に位置する折り畳みコンテナーＣａの底部１の裏面に形成されたスライドスタッキング用欠き凹部Ｈ３に、下に位置する折り畳みコンテナーＣｂの長側壁２の上端フランジ２ｅに突設されたスライドスタッキング用凸条レールＧ２が嵌合されているので、下に位置する折り畳みコンテナーＣｂの長側壁２の内側への湾曲変形が阻止されるので、下に位置する折り畳みコンテナーＣｂの長側壁２が、内側へ大きく湾曲変形し、スライドスタッキング作業が阻害されるようなことを防止することができる。
【００３８】
上述したように、上に位置する箱型に組み立てられた折り畳みコンテナーＣａの底部１と下に位置する箱型に組み立てられた折り畳みコンテナーＣｂの長側壁２とには．スライドスタッキング作業中に、下に位置する箱型に組み立てられた折り畳みコンテナーＣｂの長側壁２の外側への湾曲変形を阻止する湾曲変形阻止部材が配設されており、この湾曲変形阻止部材は、上に位置する箱型に組み立てられた折り畳みコンテナーＣａの底部１に形成されたスライドスタッキング用欠き凹部Ｈ１、Ｈ３やスライドスタッキング用スカート部Ｈ２、及び、下に位置する箱型に組み立てられた折り畳みコンテナーＣｂの長側壁２に形成されたスライドスタッキング用凸条部材Ｇ１やスライドスタッキング用凸条レールＧ２として構成されている。
【００３９】
なお、上述した実施例には、箱型に組み立てられた折り畳みコンテナーの折り畳みの際には、短側壁３を先に倒し、その後、長側壁２を倒し、また、組立の際には、先に長側壁２を立て、その後、短側壁３を立てるように構成されているが、箱型に組み立てられた折り畳みコンテナーの折り畳みの際には、長側壁２を先に倒し、その後、短側壁３を倒し、また、組立の際には、先に短側壁３を立て、その後、長側壁２を立てるように構成することもできる。
【００４０】
【発明の効果】
本発明は、以上説明した構成を有しているので、以下に記載する効果を奏するものである。
【００４１】
スライドスタッキング作業中に、上に位置する折り畳みコンテナーが、下に位置する折り畳みコンテナー内に落ち込み、スライドスタッキングが不可能になるようなことを、確実に、防止することができる。
【００４２】
また、スライドスタッキング作業中に、下に位置する折り畳みコンテナーの長側壁の内側への湾曲変形が阻止されるので、下に位置する折り畳みコンテナーの長側壁が、内側へ大きく湾曲変形し、スライドスタッキング作業が阻害されるようなことを防止することができる。
【図面の簡単な説明】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの底部の裏面斜視図である。
【図５】図５は、図４の底部の部分拡大裏面斜視図である。
【図６】図６は、本発明の折り畳みコンテナーの長側壁の部分拡大斜視図である。
【図７】図７は、本発明の箱型に組み立てられた折り畳みコンテナーの短側壁に沿った部分垂直断面図である。
【図８】図８は、本発明の箱型に組み立てられた折り畳みコンテナーのスライドスタッキングを説明するための斜視図である。
【図９】図９は、図８の部分拡大斜視図である。
【図１０】図１０は、本発明の別の実施例の折り畳みコンテナーの底部の裏面斜視図である。
【図１１】図１１は、図１０の底部の部分拡大裏面斜視図である。
【図１２】図１２は、本発明の別の実施例の箱型に組み立てられた折り畳みコンテナーのスライドスタッキングを説明するための斜視図である。
【図１３】図１３は、図１２のスライドスタッキング中の折り畳みコンテナーの短側壁に沿った部分垂直断面図である。
【図１４】図１４は、本発明の更に別の実施例の箱型に組み立てられた折り畳みコンテナーの斜視図である。
【図１５】図１５は、図１４に示されている折り畳みコンテナーの底部の部分拡大裏面斜視図である。
【図１６】図１６は、本発明の更に別の実施例の箱型に組み立てられた折り畳みコンテナーのスライドスタッキングを説明するための斜視図である。
【図１７】図１７は、図１６に示されているスライドスタッキング中の折り畳みコンテナーの短側壁に沿った部分垂直断面図である。
【符号の説明】
Ｃａ、Ｃｂ・・・・・・・・・折り畳みコンテナー
Ｇ１・・・・・・・・・・・・スライドスタッキング用凸条部材
Ｇ２・・・・・・・・・・・・スライドスタッキング用凸条レール
Ｈ１、Ｈ３・・・・・・・・・スライドスタッキング用欠き凹部
Ｈ２・・・・・・・・・・・・スライドスタッキング用スカート部
１・・・・・・・・・・・・・底部
２・・・・・・・・・・・・・長側壁
３・・・・・・・・・・・・・短側壁
４・・・・・・・・・・・・・長辺土手部
５・・・・・・・・・・・・・短辺土手部
６・・・・・・・・・・・・・嵌合ブロック部
【図１】
2005053501.tif 000003
【図２】
2005053501.tif 000004
【図３】
2005053501.tif 000005
【図４】
2005053501.tif 000006
【図５】
2005053501.tif 000007
【図６】
2005053501.tif 000008
【図７】
2005053501.tif 000009
【図８】
2005053501.tif 000010
【図９】
2005053501.tif 000011
【図１０】
2005053501.tif 000012
【図１１】
2005053501.tif 000013
【図１２】
2005053501.tif 000014
【図１３】
2005053501.tif 000015
【図１４】
2005053501.tif 000016
【図１５】
2005053501.tif 000017
【図１６】
2005053501.tif 000018
【図１７】
2005053501.tif 000019